(57)【特許請求の範囲】
【請求項１】
パッキン本体と幅調整用のアタッチメントとからなり、アタッチメントはパッキン本体の側縁に隣接配置され、パッキン本体とアタッチメントとは相互に形成された結合部によって着脱自在になっている建物用基礎パッキン。
【請求項２】
パッキン本体の裏面に、通気用の開口が形成されていて、空気がパッキン本体内を通って、前後左右に自由に流通できる請求項１記載の建物用基礎バッキン。
【請求項３】
アタッチメントには、裏面に通気用の開口が形成されていて、この開口はパッキン本体の開口と連通し、アタッチメント取付状態ででも、空気が自由に流通可能な請求項２記載の建物用基礎パッキン。
【請求項４】
パッキン本体とアタッチメントと厚さ調整用のスペーサとからなり、スペーサは平面形状が略３角形の２枚１組で構成され、パッキンの上面に、互いに突合せ状に配して使用される建物用基礎パッキン。
【発明の詳細な説明】
【０００１】
【発明の属する技術分野】
この発明は、住宅などの建物に於いて、床下換気性を確保する為、布基礎と土台との間に介装して使用する基礎パッキンに関する。
【０００２】
【従来の技術】
このような基礎パッキンは、従来既に使用されている。その形態は、厚さが２０ｍｍ前後で、平面矩形状の合成樹脂製ブロック材で、これを布基礎と土台との間に適当な間隔で配し、パッキンの無い箇所を通気間隙にして、床下換気を図るものである。
【０００３】
【発明が解決しようとする課題】
この基礎パッキンは、その上面に土台が載り、土台の荷重を支えるのであるから、パッキンの横幅は、土台の横幅に符合していることが必要である。ところが、現在の住宅に用いられている土台の横幅は、一定ではなく、９０、１０５、１２０、１３５、１５０ｍｍと色々なものが使用されている。この為、基礎パッキンも、土台の横幅ごとに各種寸法のものを別個に用意しておく必要があり、これは製造面からも施工面からも極めて不便である。
【０００４】
本発明は、このような点に鑑み、土台の横幅に合わせて、幅調整ができ、施工に便利な基礎パッキンを提供するにある。また、本発明は、パッキン自体にも通気性を持たせ、より一層の床下換気性の向上を図った基礎パッキンを提供するにある。
【０００５】
【課題を解決するための手段】
本発明の基礎パッキンの技術的手段は、パッキン本体と幅調整用のアタッチメントとからなり、アタッチメントはパッキン本体の側縁に隣接配置され、パッキン本体とアタッチメントとは相互に形成された結合部によって着脱自在になっていることにある。
【０００６】
また、パッキン本体の裏面に、通気用の開口が形成されていて、空気がパッキン本体内を通って、前後左右に自由に流通できるようにしてもよい。更に、アタッチメントには、裏面に通気用の開口が形成されていて、この開口はパッキン本体の開口と連通し、アタッチメント取付状態ででも、空気が自由に流通可能にするのが好ましい。
【０００７】
更に、パッキン本体とアタッメントと厚さ調整用のスペーサとからなり、スペーサは平面形状が略３角形の２枚１組で構成され、パッキンの上面に、互に突き合せ状に配して使用されるようにすることも可能である。
【０００８】
【発明の実施の形態】
本発明の基礎パッキンの実施の形態を、図面の実施例に基づいて説明する。本発明の基礎パッキンは、共に合成樹脂製などのパッキン本体１とアタッチメント２とからなり、両者は、図１、図２に示されるように完全に別体で、結合・分離は自在である。アタッチメント２は、パッッキン本体１の片側の１縁辺或いは、両側の２縁辺にそれぞれ隣接状に連結される。この連結により、パッキン全体の横幅は、アタッチメントの分だけ広くなる。実施例ではパッキン本体１の横幅は１２０ｍｍで、アタッチメント２は１５ｍｍであるので、図５に示されるように連結したアタッチメント２の個数分だけ１５ｍｍづつ広くなることになる。なお、図５中、Ａは布基礎、Ｂは土台である。パッキン本体１とアタッチメント２との結合は、両者にそれぞれ設けられた結合部３、４によって行い、結合や分離は極めて簡単である。
【０００９】
次にパッキン本体１の形状の詳細について説明する。平面形状は、実施例では、縦１０２×横１２０ｍｍで、厚さは２５ｍｍである。パッキン本体１の上表面は、木製の土台が上載することになるので、ほぼ平坦な面になっていて、１箇所にアンカーボルト用の孔１１が形成されている。この孔１１は長孔で、パッキン上表面に斜めに設けられている。また、１２はパッキンを土台に釘止めする際に、釘打ちによって発生するバリに対処する為の窪み、１３は厚さ調整の為にパッキンの上面に重ね置くスペーサを固定する為の引掛用の穴である。また、パッキンの縁辺に形成された切欠１４は、２個のパッキンを隣接させて使用した場合にアンカーボルト用の孔となるものであり、このように用いる場合には、土台設置の後からでも基礎パッキンの取付が可能になる。
【００１０】
パッキン本体１の表面は、図３に示されるように、軽量化の為に、主としてパッキン自体やアンカーボルト孔の縁辺部１５だけを残して、中央部１６の多くは凹欠されている。更に、縁辺部１５の箇所には、通気用の開口１７が形成されていて、空気はこの開口１７を通って、前後左右に自由に通り抜けることができる。これにより、パッキン自体ででも通気が可能となる為、床下換気性能の一層の向上を図ることができる。１８は釘打ち用の穴であり、これにより、釘打ち時のパッキンの割れを防止できる。
【００１１】
アタッチメント２の表面は図１に示されるように平坦面であるが、裏面は図３に示されるように通気開口２１が形成されている。従って、パッキン本体１にアタッチメント２を結合させた時でも、両方の通気用の開口１７、２１が連通して通気が可能である。
【００１２】
次に、パッキン本体１及びアタッチメント２の両方の結合部３、４について説明する。アタッチメント２の結合部４は、結合主体となる挿込結合部２２と、結合補助の役割を果たす中央結合部２３及び側方結合部２４からなる。挿込結合部２２は、図１、図４に示されるように、先端が上方に隆起２５すると共に、２叉に割れていて、その割れ目の両面に噛合凹部２６が形成されている。他方、パッキン本体１には、図３に示されるようにこれと対応する噛合凸部２７が形成されている。従って、結合状態では、隆起部２５が開口１７の段部２８に引掛ると共に、噛合凹部２６、２７が互に噛合うようになって、容易に抜け出さない固定状に保持される。また、結合補助となる中央結合部２２は、半円弧状に突出していて、結合時には、切欠１４の端部２９に当接するようになり、また、側方結合部２２は、角形に突出していて、開口１７の端部３０に嵌り込むようになる。従って、結合状態でアタッチメントがぐらつくことがなく、安定よく保持されるようになる。
【００１３】
図６、図７に示されているのは、厚さ調整の為のスペーサ３１である。スペーサ３１は、平面が略３角形の板状で、同一の形状のもの２枚１組で構成される。板厚は、厚さの異なったものを複数種用意しておいて、必要に応じて選択して使用できるようにするのが好ましい。このスペーサ３１には、アンカーボルト孔１１に対応する切欠３２と、裏面側に僅かに突出する弾性引掛爪３３とが形成されている。この引掛爪３３は、パッキン本体の引掛穴１３と結合して、抜け出し阻止の役割を果す。パッキン本体に、２箇所に引掛穴１３が形成されているのは、アタッチメントを取付けた時の為のものである。従って、アタッチメント取付時にも同じスペーサを使用できて、便利である。また、スペーサ３１の縁辺には、当り片３４が付設されているので、取付状態での安定が良い。図７はスペーサ３１の使用状態で、パッキンの上面に重ねて使用される。
【００１４】
本発明は、前記の実施例に限定されるものではなく、特許請求の範囲の記載の範囲内で自由に変形実施可能である。特に、パッキン本体１の平面形状や厚さ、通気開口１７の形状、アタッチメント２の寸法や形状、結合部３、４の形成個数や形状、スペーサ３１の詳細な形状などは自由である。
【００１５】
【発明の効果】
本発明の基礎パッキンは、アタッチメントの使用により、土台の幅に合わせて、パッキン自体の幅を調整できるので、従来のように幅寸法の異なるパッキンを多種用意する必要がなく、実用上、極めて便利である。
【００１６】
請求項２のものでは、開口により、パッキン自体を通り抜けての空気流通が可能であるから、床下換気性を一層高めることができる。
【００１７】
請求項３のものでは、アタッチメントにも開口があるので、アタッチメントの使用によって、パッキン自体の通気性を損なうことがない。
【００１８】
請求項４のものでは、スペーサが平面３角形であるので、アタッチメントの使用の有無にかかわりなく、同じスペーサを使用でき、施工時に都合がよい。
【図面の簡単な説明】
【図１】本発明の基礎パッキンの分離状態の平面図。
【図２】結合状態の平面図。
【図３】分離状態の底面図。
【図４】分離状態の正面図。
【図５】使用状態を示す断面図。
【図６】スペーサの平面図。
【図７】スペーサの使用状態を示す断面図。
【符号の説明】
１          パッキン本体
２          アタッチメント
３、４      結合部
１１        アンカーボルト孔
１２        窪み
１３        引掛穴
１４        切欠
１５        縁辺部
１６        中央部
１７        通気開口
２１        通気開口
２２        挿込結合部
２３        中央結合部
２４        側方結合部
２６        噛合凹部
２７        噛合凸部
３１        スペーサ
３３        引掛爪
【図１】
0003869263.tif 000002
【図２】
0003869263.tif 000003
【図３】
0003869263.tif 000004
【図４】
0003869263.tif 000005
【図５】
0003869263.tif 000006
【図６】
0003869263.tif 000007
【図７】
0003869263.tif 000008